(57)【要約】【課題】表示領域に情報を効率的に表示させることができる電子機器、表示制御方法及び表示制御プログラムを提供すること。【解決手段】携帯電話機１は、制御部１８により、表示部１１における表示モードを、平面的表示を行う第１表示モードと、立体的表示を行う第２表示モードとのいずれかに設定し、第２表示モードが設定されている場合には、第１情報と当該第１情報の下層情報である第２情報の両方を表示部１１に表示させ、第１表示モードが設定されている場合には、第１情報又は第２情報のいずれか一方を表示部に表示させる。【選択図】図２
2015099601.tif 000002
【特許請求の範囲】
【請求項１】
表示部と、
前記表示部における表示モードを、平面的表示を行う第１表示モードと、立体的表示を行う第２表示モードとのいずれかに設定するモード設定部と、
前記第２表示モードが設定されている場合には、第１情報と当該第１情報の下層情報である第２情報の両方を前記表示部に表示させ、前記第１表示モードが設定されている場合には、前記第１情報又は前記第２情報のいずれか一方を前記表示部に表示させる制御部と、
を備える電子機器。
【請求項２】
前記制御部は、前記第２表示モードの場合、前記第２情報を前記第１情報に対応して前記表示部に表示させる、
請求項１に記載の電子機器。
【請求項３】
前記制御部は、前記第２表示モードの場合、前記第１情報及び第２情報の少なくとも一方を他方に対して斜視表示させる、
請求項１又は２に記載の電子機器。
【請求項４】
前記制御部は、
前記第２表示モードが設定されている場合、仮想的な面から構成される仮想多面体を前記表示部に立体的に表示させると共に、前記仮想多面体の仮想第１面に前記第１情報を表示し、当該仮想第１面と隣り合う仮想第２面に前記第２情報を表示する、
請求項１から３のいずれか１項に記載の電子機器。
【請求項５】
前記制御部は、前記第１表示モードが設定されている場合、前記仮想第１面又は前記仮想第２面のいずれかを前記表示部に平面的に表示する、
請求項４に記載の電子機器。
【請求項６】
前記表示部を有する筐体部と、
当該筐体部の傾きを検出する傾き検出部と、
を更に備え、
前記モード設定部は、前記傾き検出部によって検出された前記筐体部の傾きに応じて、前記第１表示モードと前記第２表示モードとのいずれかに前記表示モードを設定する、
請求項１から５のいずれか１項に記載の電子機器。
【請求項７】
前記制御部は、
前記第２表示モードが設定されている場合に、前記傾き検出部によって検出された傾きに応じて、前記表示部に表示される前記第１情報に対する前記第２情報の表示態様を変更する、
請求項６に記載の電子機器。
【請求項８】
前記制御部は、
前記第１情報が表示される仮想第３面と、前記仮想第３面と一部又は全てが重畳する仮想第４面とを前記表示部に表示させ、
前記第１表示モードが設定されている場合、前記仮想第３面を表示させると共に、前記仮想第４面を前記仮想第３面に対して全て重畳させることによって、当該仮想第４面の表示を規制し、
前記第２表示モードが設定されている場合、前記仮想第３面及び当該仮想第３面と一部が重畳した前記仮想第４面を、同じ向きに前記表示部に斜視表示させる、
請求項１又は２に記載の電子機器。
【請求項９】
前記制御部は、
前記第１表示モードが設定されている場合、複数の前記第１情報を前記表示部に表示させ、
前記第２表示モードが設定されている場合、複数の前記第１情報それぞれに対応する前記第２情報を、当該第１情報に対応して前記表示部に表示させる、
請求項１から７のいずれか１項に記載の電子機器。
【請求項１０】
表示部を備える電子機器が当該表示部に情報を表示させる表示制御方法であって、
前記電子機器は、前記表示部における表示モードを、平面的表示を行う第１表示モードと、立体的表示を行う第２表示モードとのいずれかに設定可能であり、
前記表示制御方法は、
前記第２表示モードが設定されている場合には、第１情報と当該第１情報の下層情報である第２情報の両方を前記表示部に表示させ、前記第１表示モードが設定されている場合には、前記第１情報又は前記第２情報のいずれか一方を前記表示部に表示させるステップを含む、
表示制御方法。
【請求項１１】
表示部を備える電子機器に、当該表示部に情報を表示させるため処理を実行させるための表示制御プログラムであって、
前記表示部における表示モードを、平面的表示を行う第１表示モードと、立体的表示を行う第２表示モードとのいずれかに設定する処理と、
前記電子機器が前記第２表示モードに設定されている場合には、第１情報と当該第１情報の下層情報である第２情報の両方を前記表示部に表示させ、前記電子機器が前記第１表示モードに設定されている場合には、前記第１情報又は前記第２情報のいずれか一方を前記表示部に表示させる処理と、
を前記電子機器に実行させる表示制御プログラム。
【発明の詳細な説明】
【技術分野】
【０００１】
本発明は、タッチパネルを備えた電子機器、表示制御方法及び表示制御プログラムに関する。
【背景技術】
【０００２】
従来、操作性を向上させるために、電子機器に対してタッチパネルを設けることが行われている。例えば、特許文献１には、モニタの枠に沿ったタッチパネル領域に対して機能の割り当てと機能の表示が行えるソフトキーを表示させることが可能な電子機器が記載されている。
【先行技術文献】
【特許文献】
【０００３】
【特許文献１】特開２００９−２０７５８９号公報
【発明の概要】
【発明が解決しようとする課題】
【０００４】
しかしながら、特許文献１に記載された電子機器では、機能の数が多くなると、ソフトキー等の情報を表示させることが困難になる。また、ソフトキーのみを表示させると、当該ソフトキーがどのような機能を有するのか把握するのが困難になる。
【０００５】
本発明は、表示領域に情報を効率的に表示させることができる電子機器、表示制御方法及び表示制御プログラムを提供することを目的とする。
【課題を解決するための手段】
【０００６】
本発明に係る電子機器は、表示部と、前記表示部における表示モードを、平面的表示を行う第１表示モードと、立体的表示を行う第２表示モードとのいずれかに設定するモード設定部と、前記第２表示モードが設定されている場合には、第１情報と当該第１情報の下層情報である第２情報の両方を前記表示部に表示させ、前記第１表示モードが設定されている場合には、前記第１情報又は前記第２情報のいずれか一方を前記表示部に表示させる制御部と、を備える。
【０００７】
また、本発明に係る電子機器では、前記制御部は、前記第２表示モードの場合、前記第２情報を前記第１情報に対応して前記表示部に表示させることが好ましい。
【０００８】
また、本発明に係る電子機器では、前記制御部は、前記第２表示モードの場合、前記第１情報及び第２情報の少なくとも一方を他方に対して斜視表示させることが好ましい。
【０００９】
また、本発明に係る電子機器では、前記制御部は、前記第２表示モードが設定されている場合、仮想的な面から構成される仮想多面体を前記表示部に立体的に表示させると共に、前記仮想多面体の仮想第１面に前記第１情報を表示し、当該仮想第１面と隣り合う仮想第２面に前記第２情報を表示することが好ましい。
【００１０】
また、本発明に係る電子機器では、前記制御部は、前記第１表示モードが設定されている場合、前記仮想第１面又は前記仮想第２面のいずれかを前記表示部に平面的に表示することが好ましい。
【００１１】
また、本発明に係る電子機器は、前記表示部を有する筐体部と、当該筐体部の傾きを検出する傾き検出部と、を更に備え、前記モード設定部は、前記傾き検出部によって検出された前記筐体部の傾きに応じて、前記第１表示モードと前記第２表示モードとのいずれかに前記表示モードを設定することが好ましい。
【００１２】
また、本発明に係る電子機器では、前記制御部は、前記第２表示モードが設定されている場合に、前記傾き検出部によって検出された傾きに応じて、前記表示部に表示される前記第１情報に対する前記第２情報の表示態様を変更することが好ましい。
【００１３】
また、本発明に係る電子機器では、前記制御部は、前記第１情報が表示される仮想第３面と、前記仮想第３面と一部又は全てが重畳する仮想第４面とを前記表示部に表示させ、前記第１表示モードが設定されている場合、前記仮想第３面を表示させると共に、前記仮想第４面を前記仮想第３面に対して全て重畳させることによって、当該仮想第４面の表示を規制し、前記第２表示モードが設定されている場合、前記仮想第３面及び当該仮想第３面と一部が重畳した前記仮想第４面を、同じ向きに前記表示部に斜視表示させることが好ましい。
【００１４】
また、本発明に係る電子機器では、前記制御部は、前記第１表示モードが設定されている場合、複数の前記第１情報を前記表示部に表示させ、前記第２表示モードが設定されている場合、複数の前記第１情報それぞれに対応する前記第２情報を、当該第１情報に対応して前記表示部に表示させることが好ましい。
【００１５】
また、本発明に係る表示制御方法は、表示部を備える電子機器が当該表示部に情報を表示させる表示制御方法であって、前記電子機器は、前記表示部における表示モードを、平面的表示を行う第１表示モードと、立体的表示を行う第２表示モードとのいずれかに設定可能であり、前記表示制御方法は、前記第２表示モードが設定されている場合には、第１情報と当該第１情報の下層情報である第２情報の両方を前記表示部に表示させ、前記第１表示モードが設定されている場合には、前記第１情報又は前記第２情報のいずれか一方を前記表示部に表示させるステップを含む。
【００１６】
また、本発明に係る表示制御プログラムは、表示部を備える電子機器に、当該表示部に情報を表示させるため処理を実行させるための表示制御プログラムであって、前記表示部における表示モードを、平面的表示を行う第１表示モードと、立体的表示を行う第２表示モードとのいずれかに設定する処理と、前記電子機器が前記第２表示モードに設定されている場合には、第１情報と当該第１情報の下層情報である第２情報の両方を前記表示部に表示させ、前記電子機器が前記第１表示モードに設定されている場合には、前記第１情報又は前記第２情報のいずれか一方を前記表示部に表示させる処理と、を前記電子機器に実行させる。
【発明の効果】
【００１７】
本発明によれば、表示領域に情報を効率的に表示させることができる。
【図面の簡単な説明】
【００１８】
【図１】本実施形態に係る携帯電話機の外観斜視図である。
【図２】本実施形態に係る携帯電話機の機能を示すブロック図である。
【図３】本実施形態に係る表示部の表示モードが第１表示モードに設定されている場合に、仮想第１面（仮想第３面）が表示部に表示された例を示す図である。
【図４】本実施形態に係る表示部の表示モードが第２表示モードに設定されている場合に、仮想第１面及び仮想第２面が表示部に表示された例を示す図である。
【図５】本実施形態に係る表示部の表示モードが第２表示モードに設定されている場合に、仮想第３面及び仮想第４面が表示部に表示された例を示す図である。
【図６】本実施形態に係る制御部が第１情報及び第２情報を表示部に表示させる処理の流れを示すフローチャートである。
【発明を実施するための形態】
【００１９】
以下、本発明の実施の形態について説明する。まず、本発明の電子機器の一実施形態に係る携帯電話機１の基本構造について、図１を参照しながら説明する。図１は、本実施形態に係る携帯電話機１の外観斜視図である。
【００２０】
携帯電話機１は、筐体２を備える。筐体２には、正面部に、タッチパネル１０と、マイク１３と、スピーカ１４とが配置される。
【００２１】
タッチパネル１０は、表示部１１と、接触検出部１２とを備える（図２参照）。表示部１１は、液晶表示パネル又は有機ＥＬ（エレクトロルミネッセンス）表示パネル等である。接触検出部１２は、表示部１１に対応して配置され、携帯電話機１のユーザの指やタッチペン等の物体の接触を検出する。接触検出部１２は、物体の接触を検出したことに応じて、接触位置を制御部１８に供給する。接触検出部１２には、例えば、静電容量方式や抵抗膜方式等のセンサが利用可能である。
【００２２】
マイク１３は、携帯電話機１のユーザが通話時に発した音声を入力するために用いられる。
スピーカ１４は、携帯電話機１のユーザの通話相手が発した音声を出力するために用いられる。
【００２３】
続いて、図２を参照しながら、携帯電話機１の機能構成について説明する。図２は、携帯電話機１の機能構成を示すブロック図である。
【００２４】
携帯電話機１は、上述した、タッチパネル１０（表示部１１及び接触検出部１２）と、マイク１３と、スピーカ１４とを備える。また、携帯電話機１は、傾き検出部１５と、通信部１６と、記憶部１７と、制御部１８とを備える。
【００２５】
傾き検出部１５は、三軸加速度センサ等により構成されており、筐体２の傾きの角度を検出する。傾き検出部１５は、筐体２の傾きの角度を検出したことに応じて、この角度を制御部１８に供給する。
【００２６】
通信部１６は、メインアンテナ（図示省略）とＲＦ回路部（図示省略）とを備え、所定の使用周波数帯で基地局等の外部装置と通信を行う。具体的には、通信部１６は、上記のメインアンテナによって受信した信号を復調処理し、処理後の信号を制御部１８に供給する。また、通信部１６は、制御部１８から供給された信号を変調処理し、上記のメインアンテナを介して外部装置に送信する。
【００２７】
記憶部１７は、例えば、ワーキングメモリを含み、制御部１８による演算処理に利用される。また、記憶部１７は、携帯電話機１の内部で動作するアプリケーションを１又は複数記憶する。なお、記憶部１７は、着脱可能な外部メモリを兼ねていてもよい。
【００２８】
制御部１８は、携帯電話機１の全体を制御する。例えば、制御部１８は、表示部１１、スピーカ１４、及び通信部１６に対して所定の制御を行う。また、制御部１８は、接触検出部１２によって物体の接触を検出したことに応じて、各種処理を実行する。また、制御部１８は、傾き検出部１５によって筐体２の傾きの角度を検出したことに応じて、各種処理を実行する。また、制御部１８は、処理実行の際には、記憶部１７を制御し、各種プログラム及びデータの読み出し、並びにデータの書き込みを行う。また、制御部１８は、第１情報と第２情報とを表示部１１に対して表示させる制御を行う。
【００２９】
ここで、第１情報は、例えば、機能の名称や、電話帳に登録されているユーザ名や、メールのタイトル等の文字情報である。
第２情報は、第１情報の下層情報であり、例えば、機能の名称を補足する説明や、電話帳に登録されているユーザ名に対応する電話番号及び住所や、メールのメッセージ本文等の文字情報である。
【００３０】
以下、制御部１８の表示制御に係る処理について詳細に説明する。
制御部１８は、モード設定部として機能し、傾き検出部１５により検出された筐体２の傾きの角度に応じて、表示部１１における表示を、平面的表示を行う第１表示モードと、立体的表示を行う第２表示モードのいずれかに設定する。具体的には、制御部１８は、傾き検出部１５により検出された筐体２の傾きの角度が、一定時間にわたって所定の角度以上である場合に、表示モードの設定を第１表示モードから第２表示モードに変更する。また、制御部１８は、傾き検出部１５により検出された筐体２の傾きの角度が一定時間にわたって所定の角度未満である場合に、表示モードの設定を第２表示モードから第１表示モードに変更する。
【００３１】
ここで、制御部１８は、第１表示モードによって第１情報が表示された時点で傾き検出部１５によって検出された筐体２の傾きの角度を０度（基準角度）とし、当該基準角度に対する相対的な角度によって表示制御を行うものとする。
【００３２】
なお、制御部１８は、接触検出部１２により所定パターンの接触が検出されたことに応じて、筐体２の傾きの角度に応じた表示モードの変更を可能とするか否かを変更するようにしてもよい。また、この場合、筐体２の傾きの角度に応じた表示モードの変更を可能とするか否かを制御する情報を記憶部１７に記憶させるようにしてもよい。
【００３３】
平面的な表示とは、文字情報が平面に表示されているように当該文字情報を表示させることをいう。すなわち、平面的な表示とは、仮想多面体の仮想第１面１１ａに文字情報を表示した場合に、当該仮想第１面１１ａを正面から視認した場合の表示態様である。
【００３４】
一方、立体的な表示とは、文字情報が３次元形状の物体の表面に表示されているように当該文字情報を表示させることをいう。すなわち、立体的な表示とは、仮想多面体の仮想第１面１１ａに文字情報を表示させると共に、当該仮想第１面１１ａと隣り合う仮想第２面１１ｂに文字情報を表示させた場合に、仮想第１面１１ａ及び仮想第２面１１ｂを斜めの位置から視認した場合の表示態様である。
【００３５】
つまり、制御部１８は、表示部１１における表示モードの設定を、平面的表示を行う第１表示モードと、立体的表示を行う第２表示モードとのいずれかに設定することによって、表示部１１に対して、仮想第１面１１ａに第１情報を表示させると共に、仮想第１面１１ａと隣り合う仮想第２面１１ｂに第２情報が表示された仮想多面体を表示させることができる。
【００３６】
制御部１８は、表示モードが第１表示モードに設定されている場合、第１情報を表示部１１に表示させ、表示モードが第２表示モードに設定されている場合、第１情報と第２情報とを表示部に表示させる。
【００３７】
具体的には、制御部１８は、表示モードが第１表示モードに設定されている場合、仮想多面体の仮想第１面１１ａを表示部１１に平面的に表示させる。また、制御部１８は、表示部１１の表示モードが第１表示モードに設定されている場合、第１情報を、例えば、機能を複数表示するメニューや、電話帳に登録されているユーザ名を複数表示するアドレス帳や、受信メール一覧といったように、表示部１１に対してリスト形式で複数表示させる。
なお、本実施形態では、第１情報をリスト形式で複数表示させることとしたが、これに限らず、例えば、アイコン形式等、他の形式で複数表示させることとしてもよい。
【００３８】
図３は、本実施形態に係る表示部１１の表示モードが第１表示モードに設定されている場合に、仮想第１面１１ａ（仮想第３面１１ｃ）が表示部１１に表示された例を示す図である。図３に示されているように、仮想第１面１１ａに表示された第１情報は、表示部１１の表示モードが第１表示モードに設定されている場合、平面的に表示されていることが確認できる。また、図３に示されているように、第１情報は、表示部１１に対してリスト形式で複数表示されていることが確認できる。
【００３９】
制御部１８は、表示部１１の表示モードが第２表示モードに設定されている場合、仮想多面体を表示部１１に立体的に表示させ、第１情報及び第２情報をそれぞれ仮想第１面１１ａ及び仮想第２面１１ｂに表示させる。また、制御部１８は、表示部１１の表示モードが第２表示モードに設定されている場合、表示部１１に対して、第１情報が表示された仮想第１面１１ａをリスト形式で複数表示させると共に、複数の第１情報それぞれに対応する第２情報が表示された仮想第２面１１ｂを第１情報が表示された仮想第１面１１ａに隣り合わせて表示させる。
【００４０】
また、制御部１８は、表示部１１の表示モードが第２表示モードに設定されている場合、仮想第１面１１ａを斜視表示させると共に、仮想第２面１１ｂを仮想第１面１１ａの斜視表示とは異なる向きに斜視表示させる。なお、本実施形態では、制御部１８は、表示モードが第２表示モードに設定されている場合、仮想第１面１１ａを表示部１１に表示させるものとして説明を進めるが、制御部１８は、表示モードが第２表示モードに設定されている場合、仮想第１面１１ａ及び仮想第２面１１ｂの少なくとも一方を、他方に対して斜視表示させるようにしてもよい。
【００４１】
また、制御部１８は、表示モードが第２表示モードに設定されている場合に、傾き検出部１５により検出された筐体２の傾きの角度に応じて、表示部１１に表示される第１情報に対する第２情報の表示態様を変更する。具体的には、制御部１８は、傾き検出部１５により検出された筐体２の傾きの角度が大きくなるに従って、第１情報の表示領域の面積を小さくすると共に、第２情報の表示領域の面積を大きくするように表示制御を行う。
【００４２】
図４は、本実施形態に係る表示部１１の表示モードが第２表示モードに設定されている場合に、仮想第１面１１ａ及び仮想第２面１１ｂが表示部１１に表示された例を示す図である。図４（ａ）は、傾き検出部１５により検出された筐体２の傾きの角度が基準角度ではない第１の角度である場合の表示部１１の表示態様を示す図である。図４（ｂ）は、傾き検出部１５により検出された筐体２の傾きの角度が第１の角度より大きい第２の角度である場合の表示部１１の表示態様を示す図である。
【００４３】
図４（ａ）及び図４（ｂ）に示されているように、仮想第１面１１ａ及び仮想第２面１１ｂは、表示部１１の表示モードが第２表示モードに設定されている場合、立体的に表示されていることが確認できる。また、図４（ａ）及び図４（ｂ）に示されているように、表示部１１の表示モードが第２表示モードに設定されている場合、第１情報がリスト形式で複数表示されると共に、複数の第１情報それぞれに対応する第２情報が第１情報に隣り合って表示部１１に表示されることが確認できる。
【００４４】
また、図４（ｂ）における第１情報の表示領域の面積が、図４（ａ）における第１情報の表示領域の面積に比べて小さくなっていると共に、図４（ｂ）における第２情報の表示領域の面積が、図４（ａ）における第２情報の表示領域の面積に比べて大きくなっていることが確認できる。
【００４５】
なお、表示態様を変更する際、上述した表示態様では、仮想第１面１１ａと仮想第２面１１ｂとの表示面積の比率を変更する態様を示したものの、実施形態はこれに限られない。例えば、制御部１８は、面積比率を維持しつつも、仮想的に仮想第１面１１ａと仮想第２面とが向いている方向を、傾き検出部１５によって検出された角度に応じて変更させるようにしてもよい。
【００４６】
なお、上述の説明では、制御部１８は、仮想多面体の仮想第１面１１ａに文字情報を表示させると共に、当該仮想第１面１１ａと隣り合う仮想第２面１１ｂに文字情報を表示させて、表示制御を行うものとしたが、これに限らない。例えば、制御部１８は、仮想第３面１１ｃに第１情報が表示されると共に、仮想空間において仮想第３面１１ｃと所定方向に離間すると共に所定方向において当該仮想第３面１１ｃの一部又は全てと重畳する仮想第４面１１ｄに第２情報が表示された仮想表示状態に基づいて表示制御を行うようにしてもよい。
【００４７】
この場合、制御部１８は、表示モードが第１表示モードに設定されている場合、表示部１１に対して仮想第３面１１ｃを平面的に表示させると共に、仮想第４面１１ｄの全てが仮想第３面１１ｃに重畳するようにして表示部１１に表示されないように規制する。この場合、第１情報は、図３に示す表示例と同様に表示される。
【００４８】
また、制御部１８は、表示モードが第２表示モードに設定されている場合、仮想第３面１１ｃ及び仮想第４面１１ｄを、同じ向きに立体的に表示部１１に斜視表示させる。つまり、制御部１８は、表示モードが第２表示モードに設定されている場合、仮想第３面１１ｃ及び仮想第４面１１ｄの両方が表示される表示態様で当該仮想第３面１１ｃ及び仮想第４面１１ｄを表示部１１に表示させる。具体的には、制御部１８は、仮想第３面１１ｃが仮想第４面１１ｄの一部と重畳することによって、仮想第３面１１ｃと仮想第４面１１ｄとの両方を表示部１１に表示させる。そして、制御部１８は、第１情報を斜視表示させると共に、第２情報が第１情報の斜視表示と同じ向きに斜視表示させる。
【００４９】
図５は、本実施形態に係る表示部の表示モードが第２表示モードに設定されている場合に、仮想第３面１１ｃと仮想第４面１１ｄとが表示部１１に表示された例を示す図である。図５では、第１情報及び第２情報が、図４に示す表示例と異なり、同じ向きに斜視表示されていることが確認できる。なお、図５では、仮想第４面１１ｄの一部が表示されていない状態で当該仮想第４面１１ｄが表示されているが、制御部１８は、傾き検出部１５により検出された筐体２の傾きの角度が大きくなるに従って、仮想第４面１１ｄの表示されていない領域を減らすように表示制御してもよい。
【００５０】
続いて、制御部１８が第１情報及び第２情報を表示部１１に表示させる処理の流れについて説明する。図６は、本実施形態に係る制御部１８が第１情報及び第２情報を表示部１１に表示させる処理の流れを示すフローチャートである。
【００５１】
ステップＳ１において、制御部１８は、接触検出部１２を介して第１情報の表示操作を受け付ける。
ステップＳ２において、制御部１８は、表示部１１の表示モードが第１表示モードに設定されているか否かを判定する。制御部１８は、この判定がＹＥＳの場合、ステップＳ３に処理を移し、この判定がＮＯの場合、ステップＳ６に処理を移す。
【００５２】
ステップＳ３において、制御部１８は、表示部１１に第１情報を平面的に表示させる。
ステップＳ４において、制御部１８は、傾き検出部１５によって検出した筐体２の角度が一定時間にわたって所定の角度以上であるか否かを判定する。制御部１８は、この判定がＹＥＳの場合、ステップＳ５に処理を移し、この判定がＮＯの場合、ステップＳ６に処理を移す。
ステップＳ５において、制御部１８は、表示部１１の表示モードを第１表示モードから第２表示モードに変更する。
【００５３】
ステップＳ６において、制御部１８は、表示部１１の表示モードが第２表示モードに設定されているか否かを判定する。制御部１８は、この判定がＹＥＳの場合、ステップＳ７に処理を移し、この判定がＮＯの場合、ステップＳ１０に処理を移す。
【００５４】
ステップＳ７において、制御部１８は、表示部１１に第１情報及び第２情報を立体的に表示させる。そして、制御部１８は、傾き検出部１５によって検出した筐体２の角度に応じて、表示部１１に表示される第１情報の表示領域の面積と、第２情報の表示領域の面積との比率を変化させる。
【００５５】
ステップＳ８において、制御部１８は、傾き検出部１５によって検出した筐体２の角度が一定時間にわたって所定の角度未満か否かを判定する。制御部１８は、この判定がＹＥＳの場合、ステップＳ９に処理を移し、この判定がＮＯの場合、ステップＳ１０に処理を移す。
【００５６】
ステップＳ９において、制御部１８は、表示部１１の表示モードを第２表示モードから第１表示モードに変更する。
【００５７】
ステップＳ１０において、制御部１８は、接触検出部１２を介して表示部１１に表示されている第１情報の表示を終了する操作が受け付けられたか否かを判定する。制御部１８は、この判定がＹＥＳの場合、本フローチャートに係る処理を終了し、この判定がＮＯの場合、ステップＳ２に処理を移す。
【００５８】
以上のように、本実施形態によれば、携帯電話機１は、制御部１８により、表示部１１における表示モードを、平面的表示を行う第１表示モードと、立体的表示を行う第２表示モードとのいずれかに設定する。そして、携帯電話機１は、制御部１８により、第２表示モードに設定されている場合には、第１情報と当該第１情報の下層情報である第２情報の両方を表示部１１に表示させ、第１表示モードに設定されている場合には、第１情報又は第２情報のいずれか一方を表示部に表示させる。
【００５９】
よって、携帯電話機１は、第１情報と当該第１情報の下層情報である第２情報の両方を表示部１１に表示させることができるので、１の表示領域に情報を効率的に表示させることができる。
【００６０】
また、携帯電話機１は、第２表示モードに設定されている場合に、第２情報を第１情報に対応して表示部１１に表示させるので、ユーザに対して第１情報に対応した第２情報を容易に把握させることができる。
【００６１】
また、携帯電話機１は、第１表示モードに設定されている場合、仮想第１面１１ａを表示部１１に平面的に表示させ、第２表示モードに設定されている場合、仮想多面体を表示部１１に立体的に表示させ、第１情報及び第２情報をそれぞれ仮想第１面１１ａ及び仮想第２面１１ｂに表示させる。また、携帯電話機１は、第２表示モードに設定されている場合に、第１情報及び第２情報の少なくとも一方を他方に対して斜視表示させる。
よって、携帯電話機１は、第２表示モードに設定されている場合に、第１情報及び第２情報を立体的に表示させることができる。
【００６２】
また、携帯電話機１は、傾き検出部１５によって検出された筐体２の傾きに応じて、第１表示モードと第２表示モードとのいずれかに表示モードを設定するので、ユーザにとって直感的な操作によって第１表示モード又は第２表示モードに設定することができる。
【００６３】
また、携帯電話機１は、第２表示モードが設定されている場合に、傾き検出部１５によって検出された傾きに応じて、表示部１１に表示される第１情報に対する第２情報の表示態様を変更するので、ユーザは、表示部１１に表示されている３次元の形状を傾ける感覚で操作することができる。
【００６４】
また、携帯電話機１は、第１情報が表示される仮想第３面１１ｃと、仮想第３面１１ｃと一部又は全てが重畳する仮想第４面１１ｄを表示部１１に表示させ、第１表示モードに設定されている場合、仮想第３面１１ｃを表示させると共に、仮想第４面１１ｄを仮想第３面１１ｃに対して全て重畳させることによって、仮想第４面の表示を規制する。
よって、携帯電話機１は、第２表示モードである場合に、仮想第３面１１ｃの下に配置されている仮想第４面１１ｄを覗き込むような感覚で第２情報を立体的に表示させることができる。
【００６５】
また、携帯電話機１は、第１表示モードに設定されている場合、複数の前記第１情報を表示部１１に表示させ、第２表示モードに設定されている場合、複数の第１情報それぞれに対応する第２情報を、当該第１情報に隣り合わせて表示部１１に表示させる。よって、携帯電話機１は、複数の第１情報及び第２情報がそれぞれ対応するように、当該第１情報及び第２情報を効率よく表示させることができる。
【００６６】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００６７】
例えば、第１表示モードが設定されている場合においては、図３を用いた説明では仮想第１面１１ａ（仮想第３面１１ｃ）のみが表示部１１に表示される態様を示したが、これに限らず、仮想第２面１１ｂ（仮想第４面１１ｄ）のみが表示部１１に表示されるようにしてもよい。
【００６８】
本発明では、タッチパネル１０を備えた携帯電話機１について説明したが、タッチパネル１０を備えていない携帯電話機に本発明を適用してもよい。携帯電話機は、ストレートタイプや、２つの筐体をヒンジによって結合した折畳み式や、２つの筐体を重ね合わせた状態から一方の筐体を一方向にスライドさせるようにしたスライド式や、重ね合せ方向に沿う軸線を中心に一方の筐体を回転させるようにした回転式（ターンタイプ）でもよい。
【００６９】
また、上述した実施形態では、本発明が携帯電話機１に適用される場合を例示して説明したが、これに限らない。本発明は、例えば、ＰＨＳ（Ｐｅｒｓｏｎａｌ  Ｈａｎｄｙｐｈｏｎｅ  Ｓｙｓｔｅｍ）やＰＤＡ（Ｐｅｒｓｏｎａｌ  Ｄｉｇｉｔａｌ  Ａｓｓｉｓｔａｎｔ）やポータブルゲーム機にも適用することができる。
【符号の説明】
【００７０】
１  携帯電話機（電子機器）
１０  タッチパネル
１１  表示部
１２  接触検出部
１５  傾き検出部
１６  通信部
１７  記憶部
１８  制御部
【図１】
2015099601.tif 000003
【図２】
2015099601.tif 000004
【図３】
2015099601.tif 000005
【図４】
2015099601.tif 000006
【図５】
2015099601.tif 000007
【図６】
2015099601.tif 000008
【手続補正書】
【提出日】平成27年1月16日(2015.1.16)
【手続補正１】
【補正対象書類名】特許請求の範囲
【補正対象項目名】全文
【補正方法】変更
【補正の内容】
【特許請求の範囲】
【請求項１】
第１情報が表示される第１面及び前記第１情報の下層情報である第２情報が表示される第２面を表示する表示部と、傾きを検出する傾き検出部と、を備える電子機器が当該表示部に情報を表示させる表示制御方法であって、
前記電子機器は、前記表示部における表示モードを、前記第１面又は前記第２面を平面的に表示する第１表示モードと、前記第１面及び前記第２面を立体的に表示する第２表示モードとのいずれかに設定可能であり、
前記表示制御方法は、
前記第１表示モードが設定されている場合には、
前記第１面及び前記第２面のいずれか一方の面を平面的に前記表示部に表示させると共に、前記第１面及び前記第２面の他方の面に対して前記一方の面を全て重畳させることによって前記他方の面の表示を規制するステップを含み、
前記第２表示モードが設定されている場合には、
前記一方の面と、前記一方の面に一部が重畳した前記他方の面と、を同じ向きに斜めにすることで前記一方の面及び前記他方の面の両方を前記表示部に立体的に表示させるステップと、
前記傾き検出部により検出された傾きの角度に応じて、前記一方の面及び前記他方の面が重畳する領域を減らすステップと、を含む、
表示制御方法。
【請求項２】
前記第２表示モードが設定されている場合には、
前記傾き検出部により検出された傾きの角度に応じて、前記一方の面及び前記他方の面が重畳する領域を減らすステップにおいて、
前記第２表示モードによって前記一方の面及び前記他方の面の両方が表示された時点の前記傾きの角度に対する相対的な角度に応じて、前記一方の面及び前記他方の面が重畳する領域を減らす請求項１に記載の表示制御方法。
【請求項３】
前記第２表示モードが設定されている場合には、
前記傾き検出部により検出された傾きの角度に応じて、前記一方の面及び前記他方の面が重畳する領域を減らすステップにおいて、
前記傾きの角度が、前記第２表示モードに設定された時点の角度に対して大きくなるに応じて、前記重畳する領域を減らす請求項２に記載の表示制御方法。
【請求項４】
前記第２表示モードが設定されている場合には、
前記傾き検出部によって検出された傾きの角度に応じて、前記第１情報に対する前記第２情報の表示態様を変更するステップをさらに含む請求項１から請求項３のいずれか１項に記載の表示制御方法。